(57)【要約】【課題】部品の異常発生時においても、ユーザはコンピュータから容易に当該部品に関する情報を入手することが可能な情報登録方法を提供する。【解決手段】プロジェクタの制御部は、ＵＲＬ及び該ＵＲＬに対するプロジェクタの各部品への対応付けを登録するための登録画面５０に関する情報をコンピュータへ出力する。コンピュータは、登録画面５０をブラウザにより表示する。登録画面５０へＵＲＬ及び該ＵＲＬに対する部品への対応付けをコンピュータの入力部から受け付ける。この受け付けたＵＲＬ及び該ＵＲＬに対する部品への対応付けは、プロジェクタへ出力され記憶される。プロジェクタの各部品に異常が発生した場合、異常信号が制御部へ出力される。制御部は、部品の異常信号を受け付けた場合に、記憶部に記憶した当該部品に対応するＵＲＬを読み出しコンピュータへ出力する。【選択図】図５
2008009068.tif 000002
【特許請求の範囲】
【請求項１】
表示部及び入力部を備えるコンピュータに通信網を介して接続される制御部及び記憶部を備えるプロジェクタの前記記憶部に、前記コンピュータへ通知する情報を登録する情報登録方法において、
ＵＲＬ及び該ＵＲＬに対するプロジェクタの各部品への対応付けを登録するための登録画面に関する情報を前記制御部により前記コンピュータへ出力する画面情報出力ステップと、
該画面情報出力ステップにより出力された登録画面に関する情報に基づき、登録画面を前記表示部に表示するステップと、
前記登録画面へＵＲＬ及び該ＵＲＬに対する部品への対応付けを前記入力部から受け付ける受け付けステップと、
該受け付けステップにより受け付けたＵＲＬ及び該ＵＲＬに対する部品への対応付けを前記コンピュータから前記プロジェクタへ出力する情報出力ステップと、
該情報出力ステップにより出力されたＵＲＬ及び該ＵＲＬに対する部品への対応付けを前記制御部により前記記憶部に記憶する記憶ステップと、
前記プロジェクタの各部品に異常が発生した場合に異常信号を前記制御部へ出力する信号出力ステップと、
該信号出力ステップにより部品の異常信号を受け付けた場合に、前記記憶部に記憶した前記部品に対応するＵＲＬを前記制御部により前記コンピュータへ出力する出力ステップと
を備えることを特徴とする情報登録方法。
【請求項２】
表示部及び入力部を備えるコンピュータに通信網を介して接続される制御部及び記憶部を備えるプロジェクタの前記記憶部に、前記コンピュータへ通知する情報を登録する情報登録システムにおいて、
前記プロジェクタは、
ＵＲＬ及び該ＵＲＬに対する各部品への対応付けを登録するための登録画面に関する情報を前記コンピュータへ出力する画面情報出力手段を備え、
前記コンピュータは、
前記画面情報出力手段により出力された登録画面に関する情報に基づき、登録画面を前記表示部に表示する手段と、
前記登録画面へＵＲＬ及び該ＵＲＬに対する部品への対応付けを前記入力部から受け付ける受け付け手段と、
該受け付け手段により受け付けたＵＲＬ及び該ＵＲＬに対する部品への対応付けを前記プロジェクタへ出力する情報出力手段とを備え、
前記プロジェクタは、
前記情報出力手段により出力されたＵＲＬ及び該ＵＲＬに対する部品への対応付けを前記制御部により前記記憶部に記憶する記憶手段と、
各部品に異常が発生した場合に異常信号を前記制御部へ出力する信号出力手段と、
該信号出力手段により部品の異常信号を受け付けた場合に、前記記憶部に記憶した前記部品に対応するＵＲＬを前記制御部により前記コンピュータへ出力する出力手段と
をさらに備えることを特徴とする情報登録システム。
【請求項３】
前記コンピュータは、
前記受け付け手段によりＵＲＬを受け付けた場合に、ブラウザを起動し前記ＵＲＬ先へアクセスするアクセス手段
をさらに備えることを特徴とする請求項２に記載の情報登録システム。
【請求項４】
前記画面情報出力手段は、
ＵＲＬまたは電話番号及び前記ＵＲＬまたは電話番号に対する各部品への対応付けを登録するための登録画面に関する情報を前記コンピュータへ出力するよう構成してあり、
前記受け付け手段は、
前記登録画面へＵＲＬまたは電話番号及び前記ＵＲＬまたは電話番号に対する部品への対応付けを前記入力部から受け付けるよう構成してあり、
前記情報出力手段は、
前記受け付け手段により受け付けたＵＲＬまたは電話番号及び前記ＵＲＬまたは電話番号に対する部品への対応付けを前記プロジェクタへ出力するよう構成してあり、
前記記憶手段は、
前記情報出力手段により出力されたＵＲＬまたは電話番号及び前記ＵＲＬまたは電話番号に対する部品への対応付けを前記制御部により前記記憶部に記憶するよう構成してあり、
前記出力手段は、
前記信号出力手段により部品の異常信号を受け付けた場合に、前記記憶部に記憶した前記部品に対応するＵＲＬまたは電話番号を前記制御部により前記コンピュータへ出力するよう構成してある
ことを特徴とする請求項２または３に記載の情報登録システム。
【請求項５】
前記コンピュータは、
前記受け付け手段により電話番号を受け付けた場合に、ＩＰ電話網を利用して前記電話番号先と通信する通信手段
をさらに備えることを特徴とする請求項４に記載の情報登録システム。
【請求項６】
通信網を介して接続される制御部を備えるプロジェクタにおいて、
ＵＲＬ及び該ＵＲＬに対する各部品への対応付けを登録するための登録画面に関する情報を外部へ出力する画面情報出力手段と、
外部から、送信されたＵＲＬ及び該ＵＲＬに対する部品への対応付けを受信する情報受信手段と、
該情報受信手段により受信したＵＲＬ及び該ＵＲＬに対する部品への対応付けを前記制御部により前記記憶部に記憶する記憶手段と、
各部品に異常が発生した場合に異常信号を前記制御部へ出力する信号出力手段と、
部品の異常信号を受け付けた場合に、前記記憶部に記憶した前記部品に対応するＵＲＬを前記制御部により外部へ出力する出力手段と
を備えることを特徴とするプロジェクタ。
【発明の詳細な説明】
【技術分野】
【０００１】
本発明は、表示部及び入力部を備えるコンピュータに通信網を介して接続される制御部及び記憶部を備えるプロジェクタの前記記憶部に、前記コンピュータへ通知する情報を登録する情報登録方法、情報登録システム及びプロジェクタに関する。
【背景技術】
【０００２】
近年、ＬＡＮ（Local Area Network）接続端子を備えるネットワークプロジェクタが広く利用されている。このようなネットワークプロジェクタにおいては、ＬＡＮに接続されたコンピュータを介してデータの送信及び入力端子の変更または電源のオン・オフ等の各種制御を行うことができる。また、複数のネットワークプロジェクタと複数のコンピュータとを、ＬＡＮを介して接続することにより、複数のコンピュータから、複数のネットワークプロジェクタを制御することも可能となっている（例えば特許文献１乃至３参照）
【０００３】
また、従来のネットワークプロジェクタにおいては内部のランプまたはファン等の部品が正常に動作しているか否かの状態を、接続されたコンピュータに通知する機能を有しており、ユーザはコンピュータを通じてプロジェクタの状態を監視することができる。さらに、特許文献４に開示されたプロジェクタデバイスネットワーク管理システムにおいては、ユーザの電子メールアドレスを予め登録しておき、ランプ等の交換時期に達した場合に、登録先の電子メールアドレス宛に、交換時期を示す電子メールを送信する技術が開示されている。
【特許文献１】特開２００２−２４７５３９号公報
【特許文献２】特開２００６−３９０３号公報
【特許文献３】特表２００５−５２２７８０号公報
【特許文献４】特表２００５−５２２７７０号公報
【発明の開示】
【発明が解決しようとする課題】
【０００４】
しかしながら、特許文献４に記載された技術では電子メールが送信されるものの、プロジェクタに問題が発生した場合に、その後ユーザがどのように対処して良いかの最適な情報を提供できないという問題があった。また特許文献１乃至３に記載の技術によってもこれらの問題を解消できなかった。
【０００５】
本発明は斯かる事情に鑑みてなされたものであり、その目的は、ＵＲＬ(Uniform Resource Locator)及び該ＵＲＬに対するプロジェクタの各部品への対応付けを登録するための登録画面を表示させて、部品の異常発生時に当該部品に対応するＵＲＬを事前に登録させておくことにより、部品の異常発生時においても、ユーザはコンピュータから容易に当該部品に関する情報を入手することが可能な情報登録方法、情報登録システム及びプロジェクタを提供することにある。
【０００６】
本発明の他の目的は、ＵＲＬまたは電話番号の登録時において、事前にこれらの入力事項が正当であるか否かを検証しておくことにより、異常発生時においてもあわてることなく容易に対処先を案内することが可能な情報登録システム等を提供することにある。
【課題を解決するための手段】
【０００７】
本発明に係る情報登録方法は、表示部及び入力部を備えるコンピュータに通信網を介して接続される制御部及び記憶部を備えるプロジェクタの前記記憶部に、前記コンピュータへ通知する情報を登録する情報登録方法において、ＵＲＬ及び該ＵＲＬに対するプロジェクタの各部品への対応付けを登録するための登録画面に関する情報を前記制御部により前記コンピュータへ出力する画面情報出力ステップと、該画面情報出力ステップにより出力された登録画面に関する情報に基づき、登録画面を前記表示部に表示するステップと、前記登録画面へＵＲＬ及び該ＵＲＬに対する部品への対応付けを前記入力部から受け付ける受け付けステップと、該受け付けステップにより受け付けたＵＲＬ及び該ＵＲＬに対する部品への対応付けを前記コンピュータから前記プロジェクタへ出力する情報出力ステップと、該情報出力ステップにより出力されたＵＲＬ及び該ＵＲＬに対する部品への対応付けを前記制御部により前記記憶部に記憶する記憶ステップと、前記プロジェクタの各部品に異常が発生した場合に異常信号を前記制御部へ出力する信号出力ステップと、該信号出力ステップにより部品の異常信号を受け付けた場合に、前記記憶部に記憶した前記部品に対応するＵＲＬを前記制御部により前記コンピュータへ出力する出力ステップとを備えることを特徴とする。
【０００８】
本発明に係る情報登録システムは、表示部及び入力部を備えるコンピュータに通信網を介して接続される制御部及び記憶部を備えるプロジェクタの前記記憶部に、前記コンピュータへ通知する情報を登録する情報登録システムにおいて、前記プロジェクタは、ＵＲＬ及び該ＵＲＬに対する各部品への対応付けを登録するための登録画面に関する情報を前記コンピュータへ出力する画面情報出力手段を備え、前記コンピュータは、前記画面情報出力手段により出力された登録画面に関する情報に基づき、登録画面を前記表示部に表示する手段と、前記登録画面へＵＲＬ及び該ＵＲＬに対する部品への対応付けを前記入力部から受け付ける受け付け手段と、該受け付け手段により受け付けたＵＲＬ及び該ＵＲＬに対する部品への対応付けを前記プロジェクタへ出力する情報出力手段とを備え、前記プロジェクタは、前記情報出力手段により出力されたＵＲＬ及び該ＵＲＬに対する部品への対応付けを前記制御部により前記記憶部に記憶する記憶手段と、各部品に異常が発生した場合に異常信号を前記制御部へ出力する信号出力手段と、該信号出力手段により部品の異常信号を受け付けた場合に、前記記憶部に記憶した前記部品に対応するＵＲＬを前記制御部により前記コンピュータへ出力する出力手段とをさらに備えることを特徴とする。
【０００９】
本発明に係る情報登録システムは、前記コンピュータは、前記受け付け手段によりＵＲＬを受け付けた場合に、ブラウザを起動し前記ＵＲＬ先へアクセスするアクセス手段をさらに備えることを特徴とする。
【００１０】
本発明に係る情報登録システムは、前記画面情報出力手段は、ＵＲＬまたは電話番号及び前記ＵＲＬまたは電話番号に対する各部品への対応付けを登録するための登録画面に関する情報を前記コンピュータへ出力するよう構成してあり、前記受け付け手段は、前記登録画面へＵＲＬまたは電話番号及び前記ＵＲＬまたは電話番号に対する部品への対応付けを前記入力部から受け付けるよう構成してあり、前記情報出力手段は、前記受け付け手段により受け付けたＵＲＬまたは電話番号及び前記ＵＲＬまたは電話番号に対する部品への対応付けを前記プロジェクタへ出力するよう構成してあり、前記記憶手段は、前記情報出力手段により出力されたＵＲＬまたは電話番号及び前記ＵＲＬまたは電話番号に対する部品への対応付けを前記制御部により前記記憶部に記憶するよう構成してあり、前記出力手段は、前記信号出力手段により部品の異常信号を受け付けた場合に、前記記憶部に記憶した前記部品に対応するＵＲＬまたは電話番号を前記制御部により前記コンピュータへ出力するよう構成してあることを特徴とする。
【００１１】
本発明に係る情報登録システムは、前記コンピュータは、前記受け付け手段により電話番号を受け付けた場合に、ＩＰ電話網を利用して前記電話番号先と通信する通信手段をさらに備えることを特徴とする。
【００１２】
本発明に係るプロジェクタは、通信網を介して接続される制御部を備えるプロジェクタにおいて、ＵＲＬ及び該ＵＲＬに対する各部品への対応付けを登録するための登録画面に関する情報を外部へ出力する画面情報出力手段と、外部から、送信されたＵＲＬ及び該ＵＲＬに対する部品への対応付けを受信する情報受信手段と、該情報受信手段により受信したＵＲＬ及び該ＵＲＬに対する部品への対応付けを前記制御部により前記記憶部に記憶する記憶手段と、各部品に異常が発生した場合に異常信号を前記制御部へ出力する信号出力手段と、部品の異常信号を受け付けた場合に、前記記憶部に記憶した前記部品に対応するＵＲＬを前記制御部により外部へ出力する出力手段とを備えることを特徴とする。
【００１３】
本発明にあっては、プロジェクタはコンピュータに通信網を介して接続されている。プロジェクタの制御部は、ＵＲＬ及び該ＵＲＬに対するプロジェクタの各部品への対応付けを登録するための登録画面に関する情報をコンピュータへ出力する。コンピュータは、登録画面に関する情報を受け付け、出力された登録画面に関する情報に基づき、登録画面をブラウザ等によりコンピュータの表示部に表示する。登録画面へＵＲＬ及び該ＵＲＬに対する部品への対応付けをコンピュータの入力部から受け付ける。この受け付けたＵＲＬ及び該ＵＲＬに対する部品への対応付けは、コンピュータからプロジェクタへ出力される。
【００１４】
プロジェクタの制御部は出力されたＵＲＬ及び該ＵＲＬに対する部品への対応付けを記憶部に記憶する。これにより、部品に対応するＵＲＬの初期登録が完了する。そして、プロジェクタの各部品に異常が発生した場合、異常信号が制御部へ出力される。制御部は、部品の異常信号を受け付けた場合に、記憶部に記憶した当該部品に対応するＵＲＬを読み出しコンピュータへ出力する。このように、プロジェクタの部品に異常が発生した場合、当該部品に対応する登録済みのＵＲＬがユーザのコンピュータに通知され、ユーザはブラウザを用いて容易に当該部品に関する情報を入手することが可能となる。
【００１５】
本発明にあっては、コンピュータの制御部は、登録画面においてＵＲＬを受け付けた場合に、ブラウザを起動し、この受け付けたＵＲＬ先へアクセスする。このように構成したので、初期登録時においてＵＲＬ先へアクセスできた場合は、ＵＲＬが正しいと判断できる。またＵＲＬ先へアクセスできない場合、例えば「Ｎｏｔ  Ｆｏｕｎｄ」等の画面が表示された場合、ＵＲＬのスペルミスであると判断できる。
【００１６】
本発明にあっては、プロジェクタは、ＵＲＬまたは電話番号及び前記ＵＲＬまたは電話番号に対する各部品への対応付けを登録するための登録画面に関する情報をコンピュータへ出力する。つまり初期登録としてＵＲＬに加え、電話番号までも登録する。そして、コンピュータは、登録画面へＵＲＬまたは電話番号及び前記ＵＲＬまたは電話番号に対する部品への対応付けを入力部から受け付け、この受け付けたＵＲＬまたは電話番号及び前記ＵＲＬまたは電話番号に対する部品への対応付けをプロジェクタへ出力する。
【００１７】
プロジェクタは、コンピュータから出力されたＵＲＬまたは電話番号及び前記ＵＲＬまたは電話番号に対する部品への対応付けを記憶部に記憶する。そして、部品の異常信号を受け付けた場合、記憶部に記憶した前記部品に対応するＵＲＬまたは電話番号を制御部によりコンピュータへ出力するので、ユーザは電話番号を参照してサポートセンタへ連絡することが可能となる。
【００１８】
また、本発明にあっては、コンピュータは、受け付け手段により電話番号を受け付けた場合に、ＩＰ電話網を利用して前記電話番号先と通信する。このように、登録時においてＩＰ電話網を介して登録された電話番号へ発呼するので、事前にその電話番号が正しいか否かを把握することが可能となる。
【発明の効果】
【００１９】
本発明にあっては、ＵＲＬ及び該ＵＲＬに対する部品の対応付けを登録するための登録画面を出力し、これらの情報を入力部から受け付ける。この受け付けたＵＲＬ及び該ＵＲＬに対する部品への対応付けは、コンピュータからプロジェクタへ出力され、プロジェクタにおいて記憶される。そして、プロジェクタの各部品に異常が発生した場合、異常信号が制御部へ出力される。制御部は、部品の異常信号を受け付けた場合に、記憶部に記憶した当該部品に対応するＵＲＬを読み出しコンピュータへ出力する。このように、プロジェクタの部品に異常が発生した場合、当該部品に対応する登録済みのＵＲＬがユーザのコンピュータに通知され、ユーザはブラウザを用いて容易に当該部品に関する情報を入手することが可能となる。また、事前にこのようなＵＲＬを登録できるので、プロジェクタの設置業者は、当該設置業者に関連するサポートウェブサイト、または、販売ウェブサイトへ誘導することができ、収益の増強を図ることが可能となる。
【００２０】
本発明にあっては、コンピュータの制御部は、登録画面においてＵＲＬを受け付けた場合に、ブラウザを起動し、この受け付けたＵＲＬ先へアクセスする。このように構成したので、登録時においてＵＲＬ先へアクセスできた場合は、ＵＲＬが正しいと判断できる。またＵＲＬ先へアクセスできない場合、ＵＲＬのスペルミスであると判断できる。これにより、プロジェクタに異常が発生した場合でも、あわてることなく情報を入手することが可能となる。また、このようなケアレスミスを設置業者が犯してしまうことも事前に防止することが可能となる。
【００２１】
本発明にあっては、初期登録としてＵＲＬに加え、電話番号までも登録する。そして、部品の異常信号を受け付けた場合、記憶部に記憶した前記部品に対応するＵＲＬまたは電話番号を制御部によりコンピュータへ出力するので、ユーザは電話番号を参照してサポートセンタへ連絡することが可能となる。
【００２２】
また、本発明にあっては、コンピュータは、受け付け手段により電話番号を受け付けた場合に、ＩＰ電話網を利用して前記電話番号先と通信する。このように、登録時においてＩＰ電話網を介して登録された電話番号へ発呼するので、事前にその電話番号が正しいか否かを把握することが可能となる等、本発明は優れた効果を奏する。
【発明を実施するための最良の形態】
【００２３】
実施の形態１
以下本発明の実施の形態を、図面を参照して説明する。図１は本発明に係る情報登録システムの概要を示す模式図である。情報登録システムＳはプロジェクタ２、通信網Ｎ及びコンピュータ１を含んで構成される。複数のプロジェクタ２、２、・・・はＬＡＮまたはインターネット等の通信網Ｎを介してパーソナルコンピュータ等のコンピュータ１、１、・・・に接続されている。
【００２４】
プロジェクタ２とコンピュータ１とは例えばＨＴＭＬ(HyperText Markup Language)で記述されたファイル（ドキュメント）をＨＴＴＰ(Hyper Text Transfer Protocol)により送受信する。コンピュータ１はＩＰ(Internet Protocol)アドレスを付与されたプロジェクタ２へアクセスし、プロジェクタ２の状態を監視または制御する。また、後述するようにプロジェクタ２は、部品に異常が発生した場合にＵＲＬをコンピュータ１へ通知するための登録画面を記憶しており、これをコンピュータ１へ送信し、コンピュータ１ではＵＲＬ及びこれに対応する部品の登録を行う。そしてプロジェクタ２は部品に異常が発生した場合に、当該部品に対応するＵＲＬをコンピュータ１へ出力する。
【００２５】
図２はコンピュータ１のハードウェア構成を示すブロック図である。コンピュータ１は、制御部としてのＣＰＵ(Central Processing Unit)１１、ＲＡＭ(Random Access Memory)１２、入力部１３、表示部１４、通信部１６及び記憶部１５を含んで構成される。ＣＰＵ１１は、バス１７を介してコンピュータ１のハードウェア各部と接続されていて、それらを制御すると共に、記憶部１５に格納された制御プログラム１５Ｐに従って、各ソフトウェア処理を実行する。
【００２６】
表示部１４は例えば液晶ディスプレイ等であり、入力部１３はキーボード及びマウス等から構成される。通信部１６はモデムまたはＬＡＮカード等であり、通信網Ｎを介してプロジェクタ２との間でＣＰＵ１１からの指示に従い各種情報を送受信する。記憶部１５は例えばハードディスクで構成され、内部には上述した制御プログラム１５Ｐ及びインターネットエクスプローラ（登録商標）等のブラウザ１５１が記憶されている。ＲＡＭ１２は任意のアドレスを指定して読み書きすることが可能な半導体メモリである。
【００２７】
図３はプロジェクタ２のハードウェア構成を示すブロック図である。プロジェクタ２はＵＲＬ等を登録及びＵＲＬを通知する処理等を行う登録ユニット２０、及び、映像データの表示処理等を行う表示ユニット３０の２つに大別される。まず表示ユニット３０について説明する。表示ユニット３０は、ランプ３４、反射鏡３２１、カラーホイール３２、映像形成素子（以下、ＤＭＤ（Digital Micromirror Device（登録商標））３６、映像形成素子制御回路３７、投射レンズ３８、ランプセンサ３１Ｓ、ファン３３、ファンセンサ３３Ｓ、温度センサ３５Ｓ及び放電灯点灯装置３１を含んで構成される。
【００２８】
プロジェクタ２では、ランプ３４から発せられた白色光が集光され、カラーホイール３２に照射される。カラーホイール３２は、赤、青及び緑色の光学フィルタが円周方向に沿って配列形成された円盤として構成されており、図示しない駆動モータによって高速回転されるようになっている。
【００２９】
カラーホイール３２の回転に伴って、ランプ３４から出射された光の光路に各色フィルタが順次挿入され、カラーホイール３２に照射された白色光が赤色光、緑色光、青色光の各単色光に時分割で色分離される。そして、分離された各単色光は、反射鏡３２１へと送られ、ＤＭＤ３６に照射される。なお、ＤＭＤに代えて液晶パネルを用いても良い。ＤＭＤ３６は映像形成素子制御回路３７によって駆動制御されている。映像形成素子制御回路３７は、入力された映像信号に従ってＤＭＤ３６を駆動する。具体的には、入力された映像信号に従ってＤＭＤ３６の各セルや微小ミラーをオンまたはオフさせることによって、照射された単色光を画素単位で反射して光変調を行い、画像光を形成する。形成された画像光は、投射レンズ３８に入射され、投射レンズ３８によって不図示のスクリーン等に拡大投射される。
【００３０】
放電灯点灯装置３１はランプ３４の点灯及び消灯を制御する回路である。ランプセンサ３１Ｓは放電灯点灯装置３１とランプ３４との間に設けられており、ランプ３４が正常に動作しているか否かを検出し、異常がある場合は異常信号を登録ユニット２０の制御部２１へ出力する。具体的には、放電灯点灯装置３１からランプ３４へ電圧が供給されている場合に、ランプ３４のランプ電流またはランプ電圧を検出し、ランプ電流またはランプ電圧が所定電流以下または所定電圧以下の場合に異常信号を制御部２１へ出力する。
【００３１】
ファン３３はランプ３４またはプロジェクタ２内を冷却するためのものであり、図示しないモータにより駆動される。ファンセンサ３３Ｓはファン３３を駆動するモータの電圧値を計測しており、これが所定電圧以下の場合に、異常信号を制御部２１へ出力する。温度センサ３５Ｓは表示ユニット３０内の温度を計測するセンサであり、所定温度以上または所定温度以下の場合に、異常信号を制御部２１へ出力する。なお、本実施の形態においてはランプセンサ３１Ｓ、ファンセンサ３３Ｓ及び温度センサ３５Ｓを挙げたが、あくまで一例であり他のセンサを設け、異常が発生した場合に異常信号を制御部２１へ出力するようにすればよい。
【００３２】
続いて登録ユニット２０について説明する。登録ユニット２０は、制御部２１、ＲＡＭ２２、記憶部２５、入力部２３、電源部２９、入力端子２８１、２８２及び通信部２６を含んで構成される。制御部２１は、バス２７を介してプロジェクタ２のハードウェア各部と接続されていて、それらを制御すると共に、記憶部２５に格納された制御プログラム２５Ｐに従って、各ソフトウェア処理を実行する。
【００３３】
入力部２３はプロジェクタ２の筐体表面に設置された操作ボタン等から構成される。通信部２６はＬＡＮカード等であり、通信網Ｎを介してコンピュータ１との間で制御部２１からの指示に従い各種情報を送受信する。記憶部２５は例えばハードディスクで構成され、内部には上述した制御プログラム２５Ｐ、登録画面記憶部２５１、ＵＲＬ記憶ファイル２５２、状態画面記憶部２５３及びＭＡＣアドレス記憶部２５４が記憶されている。ＲＡＭ２２は任意のアドレスを指定して読み書きすることが可能な半導体メモリである。
【００３４】
電源部２９はプロジェクタ２へ電力を供給するバッテリまたはＡＣコネクタ等であり、入力端子２８１、２８２は図示しないＤＶＤプレーヤ、またはチューナ等からのデータの入力を受け付ける端子である。制御部２１は、映像データが通信部２６、入力端子２８１または入力端子２８２のいずれから入力されているかを判別する。入力端子２８１、２８２から入力される映像データまたは通信部２６を介してコンピュータ１から送信される映像データは制御部２１の指示により記憶部２５に記憶される。
【００３５】
図４は状態画面のイメージを示す説明図である。制御部２１は、ＨＴＭＬで記述された状態画面を状態画面記憶部２５３から読み出し、所定の情報を付加した上で、通信部２６を介して、状態画面に関する情報として、コンピュータ１へ出力する。コンピュータ１はブラウザ１５１を起動し、通信部１６を介して状態画面に係る情報を受信し、表示部１４に図４の如く状態画面４０を表示する。状態画面４０には、機種名、ＭＡＣアドレス、電源、状態、及び入力等の各項目が表示される。機種名「ＡＡ１」はプロジェクタ２の機種名であり、この機種名の情報は出荷段階において予め状態画面記憶部２５３に記憶されている。ＭＡＣアドレスは、プロジェクタ２の機種毎に付与される固有の識別子であり、ＭＡＣアドレス記憶部２５４に記憶されている。制御部２１はＭＡＣアドレス記憶部２５４に記憶されたＭＡＣアドレスを読み出し状態画面記憶部２５３に記憶しておく。
【００３６】
制御部２１は状態画面４０をコンピュータ１に送信する前に、電源部２９から電源が供給されているか否かの信号を受け付ける。制御部２１は電源がオンの場合、オンであることを示す情報を状態画面記憶部２５３に記憶し、また逆に、電源がオフの場合、オフであることを示す情報を状態画面記憶部２５３に記憶する。図４の例においては電源の状態がオンであることが示されている。また制御部２１は、状態画面４０をコンピュータ１に送信する前に、入力端子２８１、入力端子２８２または通信部２６のいずれから映像データが入力されているかを判別し、判別した結果を状態画面記憶部２５３に記憶する。図４の例においては、入力端子１（入力端子２８１を示す）から映像データが入力されている。
【００３７】
このようにコンピュータ１のブラウザ１５１にはプロジェクタ２の状態を示す状態画面４０が表示される。この状態は、コンピュータ１とプロジェクタ２との通信が確立した時点の状態である。ユーザは最新のプロジェクタ２の状態を把握したい場合は、入力部１３を操作し、更新ボタン４１をクリックする。これにより、更新要求を示す信号がプロジェクタ２へ送信される。プロジェクタ２の制御部２１は、再び電源部２９からの信号及び映像信号の入力先を識別し、更新後の状態画面４０を状態画面記憶部２５３から読み出して送信する。
【００３８】
図５は登録画面のイメージを示す説明図である。プロジェクタ２の記憶部２５の登録画面記憶部２５１には、ＵＲＬ及び当該ＵＲＬに対応する部品への対応付けを登録するためのＨＴＭＬファイルが、登録画面５０に関する情報として記憶されている。プロジェクタ２の設置時においてコンピュータ１を接続し、通信を確立した場合、制御部２１は、登録画面記憶部２５１から登録画面５０を読み出し、通信部２６を介してコンピュータ１へ送信する。コンピュータ１の通信部１６は送信された登録画面５０を受信し、ブラウザ１５１に図５の如く登録画面５０を表示する。
【００３９】
登録画面５０には、ＵＲＬ入力欄５２、５２、・・・、チェックボックス５３、５３、・・・、テストボタン５４、５４、・・・及び登録ボタン５１等が表示されている。これら各項目はＨＴＭＬにより予め記述され登録画面記憶部２５１に記憶されている。プロジェクタ２の設置者は、コンピュータ１の入力部１３から、異常発生時にアクセスすべきＵＲＬをＵＲＬ入力欄５２に入力する。そして、この入力したＵＲＬに対応させて部品への対応付けを行う。部品は、例えばランプ３４、表示ユニット３０、及びファン３３であり、ＵＲＬに対する部品への対応付けを入力部１３から入力する。具体的には、対応付けとして一の部品に対応付けて設けられているチェックボックス５３をクリックすることにより対応付けが完了する。なお、クリック後再度チェックボックス５３をクリックすることにより、対応付けが解除される。
【００４０】
図５の例においては、ＵＲＬが「http://www.lamp.・・・」と入力されており、部品「ランプ」への対応付けがなされている。この場合ランプセンサ３１Ｓから異常信号が出力された場合、プロジェクタ２の制御部２１はこのＵＲＬ「http://www.lamp.・・・」をコンピュータ１へ出力する。これにより、異常発生時に直ちに所定のウェブサイトへアクセスすることが可能となる。なお、部品「表示ユニット」へ対応付けした場合、表示ユニット３０内の温度センサ３５Ｓが所定温度以上または所定温度以下で、入力したＵＲＬをコンピュータ１へ出力し、また部品「ファン」へ対応付けを行った場合、ファンセンサ３３Ｓから異常信号が出力されることに伴い入力したＵＲＬがコンピュータ１へ出力される。
【００４１】
ＵＲＬ入力欄５２にはＵＲＬを入力する他、コメントまたは後述するように電話番号等をも入力するようにしても良い。この場合ＵＲＬ入力欄５２に入力されたコメント（例えば、ランプを交換して下さい等）と、部品との対応付けが登録され、異常信号が出力された場合、ＵＲＬに代えてコメントまたは電話番号がコンピュータ１へ出力される。
【００４２】
図５に示すテストボタン５４は設置者が、ＵＲＬ入力欄５２に入力したＵＲＬが正しいか否かを確認するためのボタンである。コンピュータ１のＣＰＵ１１は入力部１３から、テストボタン５４がクリックされた場合、ＵＲＬ入力欄５２に入力されたＵＲＬをＲＡＭ１２に記憶すると共に、ブラウザ１５１を新たに起動する。そしてＣＰＵ１１はブラウザ１５１の宛先にＲＡＭ１２に記憶したＵＲＬを入力する。このようにテストボタン５４が操作された場合に、ブラウザ１５１を新たに起動し、ＵＲＬ入力欄５２に入力されたＵＲＬへアクセスする処理は、登録画面５０を記述するＨＴＭＬ内にＪａｖａ（登録商標）スクリプトとして、＜Ｓｃｒｉｐｔ＞タグ内に記述されている。このプログラムは、プロジェクタ２の記憶部２５に予め記憶されており、登録画面５０をプロジェクタ２からコンピュータ１へ送信する際に、併せてＪａｖａスクリプトとして送信される。
【００４３】
図６はブラウザ１５１を用いてＵＲＬ入力欄５２に入力されたＵＲＬへアクセスする際のイメージ図である。ＣＰＵ１１は図示しないサーバコンピュータから、ＨＴＭＬ文章を受信し、ブラウザ１５１にＵＲＬ「http://www.lamp.・・・」に対応するページを表示する。図６に示すように、ブラウザ１５１には、ランプ購入サイトのページが表示される。ユーザはランプ３４の寿命が来た場合等は、このサイトからランプ３４を購入することができる。このようにテストボタン５４をクリックして、正しくウェブサイトが表示されるか否かを確認することができる。設置者は登録を終了する場合、登録ボタン５１を、入力部１３を介してクリックする。登録ボタン５１の操作により、ＵＲＬ入力欄５２に入力されたＵＲＬ及び部品への対応付けに関する情報は全てプロジェクタ２へ出力される。
【００４４】
テストボタン５４を、入力部１３を用いて操作する際、ＵＲＬの入力部スペルミスがあった場合について説明する。図７はブラウザ１５１を用いてＵＲＬ入力欄５２に入力されたＵＲＬへアクセスする際のイメージ図である。ＵＲＬ入力欄５２に入力されたＵＲＬは「http://www.lanp.・・・」となっており、「ｍ」と「ｎ」とのスペルミスが生じている。この場合、ブラウザ１５１には、ページが見つからない旨の情報が表示される。これにより、設置者はプロジェクタ２の設置時において、ＵＲＬの入力ミスを低減することが可能となる。
【００４５】
プロジェクタ２の制御部２１は、コンピュータ１から出力されたＵＲＬ、コメント、部品への対応付け等の情報をＵＲＬ記憶ファイル２５２に記憶する。図８はＵＲＬ記憶ファイル２５２のレコードレイアウトを示す説明図である。ＵＲＬ記憶ファイル２５２は、登録項目フィールド及び部品フィールドを含んで構成される。登録項目フィールドには、ＵＲＬ入力欄５２に入力された情報、本例ではＵＲＬ及びコメントが記憶されている。そして、この登録項目に対応付けて、部品名（本例ではランプ）が記憶されている。
【００４６】
ランプ３４に異常が発生したことを、ランプセンサ３１Ｓが検出した場合、異常信号を制御部２１へ出力する。制御部２１は、ランプを元に、ＵＲＬ記憶ファイル２５２の部品フィールドを検索し、対応する登録項目、すなわちＵＲＬ及びコメント等を読み出し、コンピュータ１へ送信する。コンピュータ１のＣＰＵ１１は、ブラウザ１５１を起動し、送信されたＵＲＬ及びコメントを表示する。なお、この読み出した登録項目であるＵＲＬ及びコメントを状態画面記憶部２５３に記憶し、状態画面４０の一情報として送信するようにしても良い。なお、部品フィールドに「表示ユニット」と記憶されている場合は、表示ユニット３０内の温度を検出する温度センサ３５Ｓから異常信号が出力された場合に、制御部２１は対応するＵＲＬ等の登録項目を読み出してコンピュータ１へ送信する。また、部品フィールドに「ファン」と記憶されている場合は、ファン３３のファンセンサ３３Ｓから異常信号が出力された場合に、制御部２１は対応するＵＲＬ等の登録項目を読み出してコンピュータ１へ送信する。
【００４７】
図９は状態画面４０のイメージを示す説明図である。図９の状態欄には、登録項目であるＵＲＬ「http://www.lamp.・・・」及びコメント「ランプを交換して下さい」が表示される。プロジェクタ２の制御部２１はこのような画面を生成するために、「状態」を表示するタグ内に、ＵＲＬ記憶ファイル２５２に記憶した登録項目（ＵＲＬ及びコメント）を挿入し、挿入後のＨＴＭＬ文章を状態画面記憶部２５３に記憶する。その後制御部２１は、状態画面４０を読み出し、コンピュータ１へ送信する。コンピュータ１のブラウザ１５１は、ＵＲＬ「http://www.lamp.・・・」を認識し、これにハイパーリンクを設定する。ユーザは入力部１３から、このハイパーリンクをクリックすることにより図６で示すウェブサイトへアクセスすることが可能となる。
【００４８】
図１０及び図１１は登録処理の手順を示すフローチャートである。設置者はプロジェクタ２の通信部２６及びコンピュータ１の通信部１６を通信網Ｎに接続した後、コンピュータ１を起動し、またブラウザ１５１を起動する（ステップＳ１０１）。設置者は入力部１３から設置したプロジェクタ２のＵＲＬを入力する（ステップＳ１０２）。なお、このＵＲＬは、プロジェクタ２のＩＰアドレスにより表されるものである。ＵＲＬが入力された場合、ＣＰＵ１１は、プロジェクタ２に対し、接続要求を行う（ステップＳ１０３）。
【００４９】
プロジェクタ２の制御部２１は接続要求を受けて、記憶部２５の登録画面５０を読み出し（ステップＳ１０４）、登録画面５０を、通信部２６を介してコンピュータ１へ出力する（ステップＳ１０５）。コンピュータ１は通信部１６を介してＨＴＴＰにより送信されたＨＴＭＬからなる登録画面５０を受信する（ステップＳ１０６）。ＣＰＵ１１は受信した登録画面５０をブラウザ１５１上に表示する（ステップＳ１０７）。コンピュータ１の表示部１４には、図５に示す登録画面５０が表示される。
【００５０】
ここで、設置者は入力部１３を用いて、ＵＲＬ入力欄５２に、希望するＵＲＬを入力する（ステップＳ１０８）。なお、以下ではＵＲＬのみを入力する形態について説明するが、コメント等を入力しても良い。さらに、設置者は入力部１３を用いて、チェックボックス５３に、ＵＲＬ入力欄５２に入力したＵＲＬに対応する部品への対応付けを入力する（ステップＳ１０９）。ＣＰＵ１１は、入力部１３から、テストボタン５４が操作されたか否かを判断する（ステップＳ１１０）。ＣＰＵ１１はテストボタン５４が操作されていないと判断した場合（ステップＳ１１０でＮＯ）、ステップＳ１０８へ移行し、以上の登録処理を繰り返し行う。
【００５１】
一方、ＣＰＵ１１はテストボタン５４が操作されたと判断した場合（ステップＳ１１０でＹＥＳ）、ブラウザ１５１を起動し（ステップＳ１１１）、ＵＲＬ入力欄５２に入力されたＵＲＬを起動したブラウザ１５１へ出力する（ステップＳ１１２）。起動されたブラウザ１５１は、アクセス先が出力されたＵＲＬとなる。ブラウザ１５１は、出力されたＵＲＬ先へアクセスする（ステップＳ１１３）。このＵＲＬに位置するサーバコンピュータから所望の情報が送信される。なお、ＵＲＬが誤っている場合は、誤りであることを示すウェブページが送信される。
【００５２】
ＣＰＵ１１は、入力部１３から登録ボタン５１が操作されたか否かを判断する（ステップＳ１１４）。ＣＰＵ１１は登録ボタン５１が操作されていないと判断した場合（ステップＳ１１４でＮＯ）、ステップＳ１０８へ移行し、以上の処理を繰り返す。一方、ＣＰＵ１１は登録ボタン５１が操作されたと判断した場合（ステップＳ１１４でＹＥＳ）、ＵＲＬ及び部品への対応付けに係る情報を、通信部１６を介してプロジェクタ２へ出力する（ステップＳ１１５）。
【００５３】
プロジェクタ２の制御部２１は、出力されたＵＲＬ及び部品への対応付けを、通信部２６を介して受信する（ステップＳ１１６）。制御部２１は受信したＵＲＬ及び部品への対応付けをＵＲＬ記憶ファイル２５２に記憶する（ステップＳ１１７）。以上により登録処理が終了する。
【００５４】
図１２は状態画面の出力処理の手順を示すフローチャートである。ユーザはプロジェクタ２及びコンピュータ１を通信網Ｎに接続した後、コンピュータ１を起動しさらにブラウザ１５１を起動する（ステップＳ１２１）。入力部１３から設置したプロジェクタ２のＵＲＬを入力する（ステップＳ１２２）。ＵＲＬが入力された場合、ＣＰＵ１１は、プロジェクタ２に対し、接続要求を行う（ステップＳ１２３）。
【００５５】
プロジェクタ２の制御部２１は、ランプセンサ３１Ｓ、ファンセンサ３３Ｓまたは温度センサ３５Ｓから異常信号が出力されているか否かを判断する（ステップＳ１２４）。制御部２１は異常信号が出力されていると判断した場合（ステップＳ１２４でＹＥＳ）、異常信号が出力されているセンサに対応する部品に対するＵＲＬを、ＵＲＬ記憶ファイル２５２から読み出す（ステップＳ１２５）。具体的には、ランプセンサ３１Ｓから異常信号が出力された場合、部品はランプ３４であると判断し、制御部２１はランプ３４を元に、ＵＲＬ記憶ファイル２５２の部品フィールドを検索し対応するＵＲＬを読み出す。また、ファンセンサ３３Ｓから異常信号が出力された場合、部品はファン３３であると判断し、制御部２１はファン３３を元に、ＵＲＬ記憶ファイル２５２の部品フィールドを検索し対応するＵＲＬを読み出す。さらに、温度センサ３５Ｓから異常信号が出力された場合、部品は表示ユニット３０であると判断し、制御部２１は表示ユニット３０を元に、ＵＲＬ記憶ファイル２５２の部品フィールドを検索し対応するＵＲＬを読み出す。
【００５６】
制御部２１は、この読み出したＵＲＬを状態画面記憶部２５３に記憶する（ステップＳ１２６）。ステップＳ１２６の後、及び、ステップＳ１２４において部品のセンサから異常信号が出力されていないと判断した場合（ステップＳ１２４でＮＯ）、電源部２９から電源の状態を取得する（ステップＳ１２７）。具体的には制御部２１は、電源部２９からオン信号、または、オフ信号のいずれが出力されているかを判断する。さらに、制御部２１は映像データの入力先の状態を取得する（ステップＳ１２８）。
【００５７】
具体的には、制御部２１は映像データが出力されている先が、入力端子２８１、入力端子２８２、または通信部２６のいずれであるかを判断する。このようにして取得した電源及び入力先の状態を状態画面記憶部２５３に記憶する（ステップＳ１２９）。なお、読み出したＵＲＬ、電源の状態及び入力先の状態は、予め用意されるＨＴＭＬ文章の適宜の位置にタグを付けた上でＨＴＭＬにより記述され、記述後のＨＴＭＬ文章が状態画面４０として状態画面記憶部２５３に記憶される。
【００５８】
制御部２１は、状態画面記憶部２５３に記憶した状態画面４０を読み出し（ステップＳ１２１０）、読み出した状態画面４０を、通信部２６を介してコンピュータ１へ出力する（ステップＳ１２１１）。コンピュータ１は通信部１６を介して状態画面４０を受信する（ステップＳ１２１２）。コンピュータ１のＣＰＵ１１は起動されたブラウザ１５１上に図９の如く状態画面４０を表示する（ステップＳ１２１３）。これにより登録されたＵＲＬがブラウザ１５１に表示される。
【００５９】
実施の形態２
実施の形態２は登録項目として、ＵＲＬに加え電話番号を登録する形態に関する。図１３は実施の形態２に係るコンピュータ１のハードウェア構成を示すブロック図である。実施の形態１の構成に加え、マイク１８、スピーカ１９及びＩＰ電話プログラム１５２が設けられている。マイク１８は集音した音声信号を電気信号へ変換し、変換後の信号をデジタル化した上で、ＣＰＵ１１へ出力する。スピーカ１９はＣＰＵ１１から出力される音声データを出力する。このマイク１８及びスピーカ１９はＩＰ電話により通信を行う際に用いるものであり、例えば公知のヘッドセットを用いればよい。
【００６０】
記憶部１５にはＩＰ電話プログラム１５２がダウンロードされている。このＩＰ電話プログラム１５２は、例えばＳｋｙｐｅ（登録商標）またはＳｋｙｐｅｏｕｔ（登録商標）等のプログラムであり、予め記憶部１５に記憶されている。なお、本実施の形態においてはＩＰ電話を用いて通信する形態につき説明するが、通信部１６にモデムを用いて発呼することにより通信しても良い。
【００６１】
図１４は実施の形態２に係る登録画面５０のイメージを示す説明図である。設置者は、登録画面５０のＵＲＬ入力欄５２に、入力部１３を通じてサポートセンタ等の電話番号を入力する。そして、設置者は入力部１３を通じて、この電話番号に対応する部品の対応付けをチェックボックス５３に入力する。図１４の例においてはＵＲＬ及びコメントと同じく部品「ランプ」への対応付けが行われている。
【００６２】
コンピュータ１のＣＰＵ１１は、ＵＲＬ入力欄５２に入力された情報がＵＲＬであるか電話番号であるかを、制御プログラム１５Ｐを実行して判別する。具体的にはＣＰＵ１１は数字の羅列または数字及びハイフンの組み合わせであると判断した場合、電話番号であると判別し、先頭にｈｔｔｐの文字が存在する場合はＵＲＬと判別する。ここで、テストボタン５４が入力部１３を介して操作され、電話番号であるとＣＰＵ１１が判別した場合、ＣＰＵ１１はＩＰ電話プログラム１５２を起動し、ＩＰ電話網（図示せず）を介して、電話番号先へ発呼する。その結果、サポートセンタの担当者と会話することができる。ここで、異なる電話番号先につながった場合、または、つながらない場合は、ＵＲＬ入力欄５２に入力した電話番号に誤りがあると認識することが可能となる。このようにテストボタン５４が操作された場合に、ＵＲＬ入力欄５２の入力項目がＵＲＬか、電話番号かを判断し、ＵＲＬである場合は、ブラウザ１５１を新たに起動し、ＵＲＬ入力欄５２に入力されたＵＲＬへアクセスし、電話番号である場合は、ＩＰ電話プログラム１５２を起動してＵＲＬ入力欄５２に入力された電話番号をダイヤルしてＩＰ電話網へアクセスする処理は、登録画面５０を記述するＨＴＭＬ内にＪａｖａスクリプトとして、＜Ｓｃｒｉｐｔ＞タグ内に記述されている。このプログラムは、プロジェクタ２の記憶部２５に予め記憶されており、登録画面５０をプロジェクタ２からコンピュータ１へ送信する際に、併せてＪａｖａスクリプトとして送信される。なお、登録画面５０の送信時にＩＰ電話プログラム１５２も併せて送信するようにしても良い。
【００６３】
図１５は実施の形態２に係るＵＲＬ記憶ファイル２５２のレコードレイアウトを示す説明図である。ＵＲＬ記憶ファイル２５２は、登録項目フィールド及び部品フィールドを含んで構成される。登録項目フィールドには、ＵＲＬ入力欄５２に入力された情報、本例ではＵＲＬ、コメント及び電話番号が記憶されている。そして、この登録項目に対応付けて、部品名（本例ではランプ）が記憶されている。
【００６４】
ランプ３４に異常が発生したことを、ランプセンサ３１Ｓが検出した場合、異常信号を制御部２１へ出力する。制御部２１は、ランプを元に、ＵＲＬ記憶ファイル２５２の部品フィールドを検索し、対応する登録項目、すなわちＵＲＬ、コメント及び電話番号を読み出し、コンピュータ１へ送信する。コンピュータ１のＣＰＵ１１は、ブラウザ１５１を起動し、送信されたＵＲＬ、コメント及び電話番号を表示する。なお、この読み出した登録項目であるＵＲＬ、コメント及び電話番号を状態画面記憶部２５３に記憶し、状態画面４０の一情報として送信するようにしても良い。
【００６５】
図１６は実施の形態２に係る状態画面４０のイメージを示す説明図である。図１６の状態欄には、登録項目であるＵＲＬ「http://www.lamp.・・・」、コメント「ランプを交換して下さい」及び電話番号「０３−０１２３−ＸＸＸＸ」が表示される。プロジェクタ２の制御部２１はこのような画面を生成するために、「状態」を表示するタグ内に、ＵＲＬ記憶ファイル２５２に記憶した登録項目（ＵＲＬ、コメント及び電話番号）を挿入し、挿入後のＨＴＭＬ文章を状態画面記憶部２５３に記憶する。その後制御部２１は、状態画面４０を読み出し、コンピュータ１へ送信する。コンピュータ１のブラウザ１５１は、ＵＲＬ「http://www.lamp.・・・」を認識し、これにハイパーリンクを設定する。また、ブラウザ１５１は電話番号を認識し、ＩＰ電話プログラム１５２を起動するためのリンクを設定する。ユーザは入力部１３から、このハイパーリンクをクリックすることにより図６で示すウェブサイトへアクセスすることが可能となる。また、ユーザは入力部１３から、電話番号に設定されたリンクをクリックすることにより、ＣＰＵ１１がＩＰ電話プログラム１５２を起動し、クリックされた電話番号をダイヤルする。これにより、ダイヤル先と通信することが可能となる。
【００６６】
図１７及び図１８は実施の形態２に係る登録処理の手順を示すフローチャートである。設置者はプロジェクタ２の通信部２６及びコンピュータ１の通信部１６を通信網Ｎに接続した後、コンピュータ１を起動し、またブラウザ１５１を起動する（ステップＳ１７１）。設置者は入力部１３から設置したプロジェクタ２のＵＲＬを入力する（ステップＳ１７２）。ＵＲＬが入力された場合、ＣＰＵ１１は、プロジェクタ２に対し、接続要求を行う（ステップＳ１７３）。
【００６７】
プロジェクタ２の制御部２１は接続要求を受けて、記憶部２５の登録画面５０を読み出し（ステップＳ１７４）、登録画面５０を、通信部２６を介してコンピュータ１へ出力する（ステップＳ１７５）。コンピュータ１は通信部１６を介してＨＴＴＰにより送信されたＨＴＭＬからなる登録画面５０を受信する（ステップＳ１７６）。ＣＰＵ１１は受信した登録画面５０をブラウザ１５１上に表示する（ステップＳ１７７）。コンピュータ１の表示部１４には、図１４に示す登録画面５０が表示される。
【００６８】
ここで、設置者は入力部１３を用いて、ＵＲＬ入力欄５２に、希望するＵＲＬ及び電話番号を入力する（ステップＳ１７８）。なお、以下ではＵＲＬ及び電話番号のみを入力する形態について説明するが、コメント等を入力しても良い。さらに、設置者は入力部１３を用いて、チェックボックス５３に、ＵＲＬ入力欄５２に入力したＵＲＬに対応する部品への対応付けを入力する（ステップＳ１７９）。また、設置者は入力部１３を用いて、チェックボックス５３に、ＵＲＬ入力欄５２に入力した電話番号に対応する部品への対応付けを入力する（ステップＳ１８１）。ＣＰＵ１１は、入力部１３から、テストボタン５４が操作されたか否かを判断する（ステップＳ１８２）。ＣＰＵ１１はテストボタン５４が操作されていないと判断した場合（ステップＳ１８２でＮＯ）、ステップＳ１７８へ移行し、以上の登録処理を繰り返し行う。
【００６９】
一方、ＣＰＵ１１はテストボタン５４が操作されたと判断した場合（ステップＳ１８２でＹＥＳ）、ＵＲＬ入力欄５２に入力された入力項目がＵＲＬであるか否かを判断する（ステップＳ１８３）。ＣＰＵ１１は入力項目がＵＲＬでないと判断した場合（ステップＳ１８３でＮＯ）、すなわち入力項目が電話番号であると判断した場合、記憶部１５に記憶したＩＰ電話プログラム１５２を起動する（ステップＳ１８４）。そしてＣＰＵ１１は、入力項目に入力された電話番号をＩＰ電話プログラム１５２に出力する（ステップＳ１８５）。ＩＰ電話プログラム１５２の指示を受けてＣＰＵ１１は電話番号先へダイヤルする（ステップＳ１８６）。これにより設置者は電話番号が正当であるか否か、また、ＩＰ電話が正しく使えるか否かをも同時に検証することができる。
【００７０】
一方、ＵＲＬ入力欄５２に入力された入力項目が、ＵＲＬであると判断した場合（ステップＳ１８３でＹＥＳ）、ＣＰＵ１１はブラウザ１５１を起動し（ステップＳ１８７）、ＵＲＬ入力欄５２に入力されたＵＲＬを起動したブラウザ１５１へ出力する（ステップＳ１８８）。起動されたブラウザ１５１は、アクセス先が出力されたＵＲＬとなる。ブラウザ１５１は、出力されたＵＲＬ先へアクセスする（ステップＳ１８９）。このＵＲＬに位置するサーバコンピュータから所望の情報が送信される。なお、ＵＲＬが誤っている場合は、誤りであることを示すウェブページが送信される。
【００７１】
ステップＳ１８９及びステップＳ１８６の処理後、ＣＰＵ１１は、入力部１３から登録ボタン５１が操作されたか否かを判断する（ステップＳ１８１０）。ＣＰＵ１１は登録ボタン５１が操作されていないと判断した場合（ステップＳ１８１０でＮＯ）、ステップＳ１７８へ移行し、以上の処理を繰り返す。一方、ＣＰＵ１１は登録ボタン５１が操作されたと判断した場合（ステップＳ１８１０でＹＥＳ）、ＵＲＬ及び部品への対応付けに係る情報を、通信部１６を介してプロジェクタ２へ出力する（ステップＳ１８１１）。また、電話番号及び部品への対応付けに係る情報を、通信部１６を介してプロジェクタ２へ出力する（ステップＳ１８１２）。
【００７２】
プロジェクタ２の制御部２１は、出力されたＵＲＬ及び部品への対応付けを、通信部２６を介して受信する（ステップＳ１８１３）。また、プロジェクタ２の制御部２１は、出力された電話番号及び部品への対応付けを、通信部２６を介して受信する（ステップＳ１８１４）。制御部２１は受信したＵＲＬ及び部品への対応付けをＵＲＬ記憶ファイル２５２に記憶する（ステップＳ１８１５）。さらに、制御部２１は受信した電話番号及び部品への対応付けをＵＲＬ記憶ファイル２５２に記憶する（ステップＳ１８１６）。以上により電話番号及びＵＲＬ並びにこれらに対応する部品の対応付けに係る登録処理が終了する。
【００７３】
図１９は実施の形態２に係る状態画面の出力処理の手順を示すフローチャートである。ユーザはプロジェクタ２及びコンピュータ１を通信網Ｎに接続した後、コンピュータ１を起動しさらにブラウザ１５１を起動する（ステップＳ１９１）。入力部１３から設置したプロジェクタ２のＵＲＬを入力する（ステップＳ１９２）。ＵＲＬが入力された場合、ＣＰＵ１１は、プロジェクタ２に対し、接続要求を行う（ステップＳ１９３）。
【００７４】
プロジェクタ２の制御部２１は、ランプセンサ３１Ｓ、ファンセンサ３３Ｓまたは温度センサ３５Ｓから異常信号が出力されているか否かを判断する（ステップＳ１９４）。制御部２１は異常信号が出力されていると判断した場合（ステップＳ１９４でＹＥＳ）、異常信号が出力されているセンサに対応する部品に対するＵＲＬ及び電話番号を、ＵＲＬ記憶ファイル２５２から読み出す（ステップＳ１９５）。具体的には、ランプセンサ３１Ｓから異常信号が出力された場合、部品はランプ３４であると判断し、制御部２１はランプ３４を元に、ＵＲＬ記憶ファイル２５２の部品フィールドを検索し対応するＵＲＬ及び電話番号を読み出す。また、ファンセンサ３３Ｓから異常信号が出力された場合、部品はファン３３であると判断し、制御部２１はファン３３を元に、ＵＲＬ記憶ファイル２５２の部品フィールドを検索し対応するＵＲＬ及び電話番号を読み出す。さらに、温度センサ３５Ｓから異常信号が出力された場合、部品は表示ユニット３０であると判断し、制御部２１は表示ユニット３０を元に、ＵＲＬ記憶ファイル２５２の部品フィールドを検索し対応するＵＲＬ及び電話番号を読み出す。
【００７５】
制御部２１は、この読み出したＵＲＬ及び電話番号を状態画面記憶部２５３に記憶する（ステップＳ１９６）。ステップＳ１９６の後、及び、ステップＳ１９４において部品のセンサから異常信号が出力されていないと判断した場合（ステップＳ１９４でＮＯ）、電源部２９から電源の状態を取得する（ステップＳ１９７）。さらに、制御部２１は映像データの入力先の状態を取得する（ステップＳ１９８）。
【００７６】
このようにして取得した電源及び入力先の状態を状態画面記憶部２５３に記憶する（ステップＳ１９９）。なお、読み出したＵＲＬ、電話番号、電源の状態及び入力先の状態は、予め用意されるＨＴＭＬ文章の適宜の位置にタグを付けた上でＨＴＭＬにより記述され、記述後のＨＴＭＬ文章が状態画面４０として状態画面記憶部２５３に記憶される。
【００７７】
制御部２１は、状態画面記憶部２５３に記憶した状態画面４０を読み出し（ステップＳ１９１０）、読み出した状態画面４０を、通信部２６を介してコンピュータ１へ出力する（ステップＳ１９１１）。コンピュータ１は通信部１６を介して状態画面４０を受信する（ステップＳ１９１２）。コンピュータ１のＣＰＵ１１は起動されたブラウザ１５１上に図１６の如く状態画面４０を表示する（ステップＳ１９１３）。これにより登録されたＵＲＬ及び電話番号がブラウザ１５１に表示される。
【００７８】
本実施の形態２は以上の如き構成としてあり、その他の構成及び作用は実施の形態１と同様であるので、対応する部分には同一の参照番号を付してその詳細な説明を省略する。
【図面の簡単な説明】
【００７９】
【図１】本発明に係る情報登録システムの概要を示す模式図である。
【図２】コンピュータのハードウェア構成を示すブロック図である。
【図３】プロジェクタのハードウェア構成を示すブロック図である。
【図４】状態画面のイメージを示す説明図である。
【図５】登録画面のイメージを示す説明図である。
【図６】ブラウザを用いてＵＲＬ入力欄に入力されたＵＲＬへアクセスする際のイメージ図である。
【図７】ブラウザを用いてＵＲＬ入力欄に入力されたＵＲＬへアクセスする際のイメージ図である。
【図８】ＵＲＬ記憶ファイルのレコードレイアウトを示す説明図である。
【図９】状態画面のイメージを示す説明図である。
【図１０】登録処理の手順を示すフローチャートである。
【図１１】登録処理の手順を示すフローチャートである。
【図１２】状態画面の出力処理の手順を示すフローチャートである。
【図１３】実施の形態２に係るコンピュータのハードウェア構成を示すブロック図である。
【図１４】実施の形態２に係る登録画面のイメージを示す説明図である。
【図１５】実施の形態２に係るＵＲＬ記憶ファイルのレコードレイアウトを示す説明図である。
【図１６】実施の形態２に係る状態画面のイメージを示す説明図である。
【図１７】実施の形態２に係る登録処理の手順を示すフローチャートである。
【図１８】実施の形態２に係る登録処理の手順を示すフローチャートである。
【図１９】実施の形態２に係る状態画面の出力処理の手順を示すフローチャートである。
【符号の説明】
【００８０】
１      コンピュータ
２      プロジェクタ
１１    ＣＰＵ（制御部）
１３    入力部
１４    表示部
１５    記憶部
１５Ｐ  制御プログラム
１６    通信部
１８    マイク
１９    スピーカ
２０    登録ユニット
２１    制御部
２３    入力部
２５    記憶部
２５Ｐ  制御プログラム
２６    通信部
２９    電源部
３０    表示ユニット
３１    放電灯点灯装置
３１Ｓ    ランプセンサ
３３    ファン
３３Ｓ  ファンセンサ
３４    ランプ
３５Ｓ  温度センサ
４０    状態画面
５０    登録画面
５１    登録ボタン
５２    ＵＲＬ入力欄
５３    チェックボックス
５４    テストボタン
１５１  ブラウザ
１５２  ＩＰ電話プログラム
２５１  登録画面記憶部
２５２  ＵＲＬ記憶ファイル
２５３  状態画面記憶部
２５４  ＭＡＣアドレス記憶部
２８１  入力端子
２８２  入力端子
Ｎ      通信網
Ｓ      情報登録システム
【図１】
2008009068.tif 000003
【図２】
2008009068.tif 000004
【図３】
2008009068.tif 000005
【図４】
2008009068.tif 000006
【図５】
2008009068.tif 000007
【図６】
2008009068.tif 000008
【図７】
2008009068.tif 000009
【図８】
2008009068.tif 000010
【図９】
2008009068.tif 000011
【図１０】
2008009068.tif 000012
【図１１】
2008009068.tif 000013
【図１２】
2008009068.tif 000014
【図１３】
2008009068.tif 000015
【図１４】
2008009068.tif 000016
【図１５】
2008009068.tif 000017
【図１６】
2008009068.tif 000018
【図１７】
2008009068.tif 000019
【図１８】
2008009068.tif 000020
【図１９】
2008009068.tif 000021